(57)【要約】【課題】安価で、使用性、品質が向上した電気掃除機を提供する。【解決手段】電動送風機からの排気を排出する排気部３ａを形成した電動送風機室３と、排気部３ａを覆い、排気中の塵埃を捕集するフィルター６と、フィルター６を収納するフィルター室７と、フィルター室７を覆い排気口９を具備したカバー体８を有し、カバー体８の外周側面に、掃除機本体１に係止される爪１０を設け、かつカバー体８にフィルター６の外周側面と接触するフィルター押さえ部１３を設け、フィルター押さえ部１３は、爪１０の断面に対して爪１０に近い側より離れる方向にかつ排気の下流側へ傾斜するようにフィルター６に接触するもので、排気によりフィルター６が下流側に移動すると、フィルター押さえ部１３に外側に開く力が発生し、爪１０が掃除機本体１に強く係止されるようになる。【選択図】図２
2011083515.tif 000002
【特許請求の範囲】
【請求項１】
集塵室と、電動送風機を内蔵し前記電動送風機からの排気を排出する排気部を形成した電動送風機室を有する掃除機本体と、前記排気部を覆い、前記排気に含まれる塵埃を捕集すると共に外周側面が硬質材で形成されたフィルターと、前記フィルターを収納するフィルター室と、前記フィルター室を覆い排気口を具備したカバー体を有し、前記カバー体の前記外周側面に、前記掃除機本体に係止される爪を設け、かつ前記カバー体に前記フィルターの外周側面と接触するフィルター押さえ部を設け、前記フィルター押さえ部は、前記爪の断面に対して前記爪に近い側より離れる方向にかつ排気の下流側方向へ傾斜するように前記フィルターに接触するようにした電気掃除機。
【請求項２】
カバー体の爪の両脇に切り欠き部を設け、かつフィルター押さえ部を、前記爪を構成する外郭の内面側に連結させて構成した請求項１に記載の電気掃除機。
【請求項３】
集塵室と、電動送風機を内蔵し前記電動送風機からの排気を排出する排気部を形成した電動送風機室を有する掃除機本体と、前記排気部を覆い、前記排気に含まれる塵埃を捕集すると共に外周側面が硬質材で形成されたフィルターと、前記フィルターを収納するフィルター室と、前記フィルター室を覆い排気口を具備したカバー体を有し、前記カバー体の外郭内側に前記掃除機本体に係止される爪を設け、かつ前記カバー体に、前記フィルターの下流側の略中央のみと接触するフィルター押さえ部を設けた電気掃除機。
【請求項４】
カバー体の外郭を、掃除機本体の外郭の一部として構成した請求項１〜３のいずれか１項に記載の電気掃除機。
【発明の詳細な説明】
【技術分野】
【０００１】
本発明は、電気掃除機に関し、特に、電気掃除機のフィルターを保持するカバー体に関するものである。
【背景技術】
【０００２】
従来のこの種の電気掃除機の排気構成は、掃除機本体の後方に設けられ、電動送風機からの排気を排出する排気口と、排気口を覆うと共に、掃除機本体に爪にて着脱自在に固定されるカバー体と、カバー体と掃除機本体との間に固定されたフィルターにて構成され、フィルターを通過した排気が掃除機本体外に排出される構成となっていた（例えば、特許文献１参照）。
【先行技術文献】
【特許文献】
【０００３】
【特許文献１】特開平４−３６７７５号公報
【発明の概要】
【発明が解決しようとする課題】
【０００４】
しかしながら、前記特許文献１に記載されたような従来の電気掃除機の構成では、フィルターは通気性能が確保されているが、電動送風機から排出される排気によりフィルターは排気圧により排気下流側に押し出され、排気の熱により樹脂にて構成されたカバー体が暖められることにより、カバー体を着脱自在に固定している爪が外れてしまうといった問題があった。
【０００５】
逆に、爪が外れるのを防止するために、爪の保持力を強くするとカバー体の着脱がし難くなる。また上記特許文献１には記載されていないが、カバー体の着脱性を確保しつつ外れを防止するために爪を別部品にて構成しバネ体にて付勢する構成もあるが、部品点数が多くなりコスト高になるという課題があった。
【０００６】
本発明は、前記従来の課題を解決するもので、カバー体と一体に構成した爪で着脱する使用性を確保しつつ、カバー体の外れを防止し、安価で使用性が良く品質が向上した電気掃除機を提供することを目的とする。
【課題を解決するための手段】
【０００７】
前記従来の課題を解決するために、本発明の電気掃除機は、集塵室と、電動送風機を内蔵し前記電動送風機からの排気を排出する排気部を形成した電動送風機室を有する掃除機本体と、前記排気部を覆い、前記排気に含まれる塵埃を捕集すると共に外周側面が硬質材で形成されたフィルターと、前記フィルターを収納するフィルター室と、前記フィルター室を覆い排気口を具備したカバー体を有し、前記カバー体の外周側面に、前記掃除機本体に係止される爪を設け、かつ前記カバー体に前記フィルターの外周側面と接触するフィルター押さえ部を設け、前記フィルター押さえ部は、前記爪の断面に対して前記爪に近い側より離れる方向にかつ排気の下流側方向へ傾斜するように前記フィルターに接触するようにしたもので、排気によりフィルターが排気下流側に移動したときに、フィルターとの接触面が傾斜しているので、フィルター押さえ部に外側に開く力が発生する。それによりカバー体の外周が外側に開き、外周側面に設けた爪が掃除機本体に強く係る方向へ移動することとなりカバー体の外れを防止できるものである。
【０００８】
また、本発明の電気掃除機は、集塵室と、電動送風機を内蔵し前記電動送風機からの排
気を排出する排気部を形成した電動送風機室を有する掃除機本体と、前記排気部を覆い、前記排気に含まれる塵埃を捕集すると共に外周側面が硬質材で形成されたフィルターと、前記フィルターを収納するフィルター室と、前記フィルター室を覆い排気口を具備したカバー体を有し、前記カバー体の外郭内側に前記掃除機本体に係止される爪を設け、かつ前記カバー体に、前記フィルターの下流側の略中央のみと接触するフィルター押さえ部を設けたもので、排気によりフィルターが移動すると、カバー体は中央部分のみが押し上げられる形となり外周面はそれにつられ内側に倒れるため爪が掃除機本体に強く係る方向へ移動することとなりカバー体の外れを防止できるものである。
【発明の効果】
【０００９】
本発明の電気掃除機は、フィルターを固定するカバー体と一体に構成した爪で着脱する使用性を確保しつつ、カバー体の外れを防止できるもので、安価で使用性が良く品質の向上が行える電気掃除機を提供できる。
【図面の簡単な説明】
【００１０】
【図１】本発明の実施の形態１における電気掃除機の断面図
【図２】（ａ）同電気掃除機の要部拡大断面図（図１のａ−ａ断面）、（ｂ）図２（ａ）のｂ−ｂ断面図
【図３】本発明の実施の形態２における電気掃除機の要部拡大断面図（図１のａ−ａ断面）
【発明を実施するための形態】
【００１１】
第１の発明は、集塵室と、電動送風機を内蔵し前記電動送風機からの排気を排出する排気部を形成した電動送風機室を有する掃除機本体と、前記排気部を覆い、前記排気に含まれる塵埃を捕集すると共に外周側面が硬質材で形成されたフィルターと、前記フィルターを収納するフィルター室と、前記フィルター室を覆い排気口を具備したカバー体を有し、前記カバー体の外周側面に、前記掃除機本体に係止される爪を設け、かつ前記カバー体に前記フィルターの外周側面と接触するフィルター押さえ部を設け、前記フィルター押さえ部は、前記爪の断面に対して前記爪に近い側より離れる方向にかつ排気の下流側方向へ傾斜するように前記フィルターに接触するようにしたもので、排気によりフィルターが排気下流側に移動したときに、フィルターとの接触面が傾斜しているので、フィルター押さえ部に外側に開く力が発生する。それによりカバー体の外周が外側に開き、外周側面に設けた爪が掃除機本体に強く係る方向へ移動することとなりカバー体の外れを防止できるものである。
【００１２】
第２の発明は、特に、第１の発明のカバー体の爪の両脇に切り欠き部を設け、かつフィルター押さえ部を、前記爪を構成する外郭の内面側に連結させて構成したもので、フィルターが排気により移動しフィルター押さえ部を外側に押す力をより爪部に直接伝達することが可能となりより外れを防止できるものである。
【００１３】
第３の発明は、集塵室と、電動送風機を内蔵し前記電動送風機からの排気を排出する排気部を形成した電動送風機室を有する掃除機本体と、前記排気部を覆い、前記排気に含まれる塵埃を捕集すると共に外周側面が硬質材で形成されたフィルターと、前記フィルターを収納するフィルター室と、前記フィルター室を覆い排気口を具備したカバー体を有し、前記カバー体の外郭内側に前記掃除機本体に係止される爪を設け、かつ前記カバー体に、前記フィルターの下流側の略中央のみと接触するフィルター押さえ部を設けたもので、排気によりフィルターが移動すると、カバー体は中央部分のみが押し上げられる形となり外周面はそれにつられ内側に倒れるため爪が掃除機本体に強く係る方向へ移動することとなりカバー体の外れを防止できるものである。
【００１４】
第４の発明は、特に、第１〜３のいずれか一つの発明のカバー体の外郭を、掃除機本体の外郭の一部として構成したもので、カバー体の外れを部品点数を増やすことなく防止し、かつカバー体の着脱の使用性を確保したもので、外郭として構成することで安価な電気掃除機を提供することができるものである。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機の断面図、図２は、同電気掃除機の要部拡大断面図（図１のａ−ａ断面）である。
【００１７】
図１において、１は、掃除機本体で、掃除機本体１の後方には、塵埃を吸引する吸引風を発生させる電動送風機２を有した電動送風機室３が配置され、電動送風機２の吸引風の上流側には、塵埃を集塵する集塵部４を配置した集塵室５が配され、電動送風機室３には、電動送風機２より排出される排気を外部に排出するための排気部３ａが設けられ、その排気部３ａを覆うと共に電動送風機２の排気に含まれる微量の塵埃等を除去するためのフィルター６を配置するフィルター室７が、排気部３ａに連通して設けられている。８は、排気口９を有し、フィルター室７を覆うと共に、フィルター６を掃除機本体１に固定するカバー体である。
【００１８】
次に図２において、フィルター６は、中央部分の通気性を確保したフィルター材６ａと、フィルター材６ａの外周を保持し硬質材で形成された枠体６ｂから構成されている。カバー体８を構成する外周側面の外側は爪１０を有し、爪１０は、掃除機本体１に形成した引っ掛け部１１と係止することで、カバー体８を、着脱自在に掃除機本体１に固定できるようになっている。
【００１９】
フィルター６は、掃除機本体１の取り付け面１２と、カバー体８に設けたフィルター押さえ部１３により挟まれ固定されるものである。フィルター押さえ部１３は、爪１０の内側に連結する位置に構成され、爪１０の両脇には切り欠き部１４が設けられている。
【００２０】
フィルター押さえ部１３とフィルター６の接触については、フィルター押さえ部１３はフィルター６の枠体６ｂと接触している。また、フィルター押さえ部１３と枠体６ｂとの接触面１５については、爪１０に近い側より離れる方向に、かつ排気の下流側方向へ傾斜するように接触するように形成したものである。
【００２１】
以上のように構成された本実施の形態における電気掃除機について、以下その動作、作用を説明する。図２のように、電動送風機２より排出された排気は、フィルター６を通過し、排気に含まれる微量の塵埃等を除去し排気口９を経て掃除機本体１外へ排出される。排気をろ過するフィルター材６ａは、排気に含まれる微量の塵埃等を多く除去するためにはフィルター材６ａの塵埃除去率を向上する必要があり、そのためにはフィルター材６ａの排気を通過させる通気性を逆に悪くする必要がある。
【００２２】
そのためフィルター材６ａには、若干の圧損が生じてしまう。その圧損により、電動送風機２が運転され、排気が排出されている間フィルター６に、排気の下流方向へ押し付けられる力が発生し、フィルター６を押えているカバー体８も同様に、排気の下流側へ押し出される動作が発生する。
【００２３】
カバー体８は、掃除機本体１にカバー体８と一体の爪１０のみで着脱自在に固定されているが、排気圧によりフィルター６が排気下流側に動くことにより、接触面１５によりフ
ィルター押さえ部１３が外側に開く力が発生する。それによりカバー体８の外周が外側に開くため外周側面に設けた爪１０が掃除機本体１の引っ掛け部１１に強く係る方向へ移動することとなり、カバー体８が掃除機本体１から外れるのを防止することができる。
【００２４】
またこれにより、外れることを防止するために爪１０の引っ掛かる寸法を大きく取る必要もないため、カバー体８は、掃除機本体１から容易に取り外すことが可能で使用性向上も行えるものである。またカバー体８に一体の爪１０で構成するため余分な部品を増やすことなく安価な電気掃除機とすることができる。またさらに他の部品で固定、保持を行うことが困難な外郭部品にも、上記構成の採用が可能である。
【００２５】
（実施の形態２）
図３は、本発明の実施の形態２における電気掃除機の要部拡大断面図である。なお、上記実施の形態１における電気掃除機と同一部分には、同一符号を付してその説明を省略する。
【００２６】
上記第１の実施の形態では、爪１０をカバー体８の外周側面の外側に設けたが、本実施の形態は、図３に示すように、カバー体８を構成する外周側面内側に爪１０を設け、その爪１０を、掃除機本体１の爪１０と対向する位置に設けた引っ掛け部１１に係止することで、カバー体８を着脱自在に掃除機本体１に固定できるようにしたものである。
【００２７】
フィルター６は、掃除機本体１の取り付け面１２とカバー体８のフィルター押さえ部１３により挟まれ固定されているものである。フィルター押さえ部１３とフィルター６の接触については、フィルター押さえ部１３は、フィルター６の枠体６ｂの略中央部分と接触している。
【００２８】
以上のように構成された本実施の形態における電気掃除機について、以下その動作、作用を説明する。図３のように、カバー体８の外郭の内側に爪１０を構成し、フィルター押さえ部１３のフィルター６との接触面をフィルター６の中央部分のみとすることで、排気によりフィルター６が後方に移動すると、カバー体８は、その中央部分のみが押し上げられる形となり、カバー体８の外周面は、それにつられ内側に倒れるため、爪１０が掃除機本体１に設けた引っ掛け部１１に強く掛かる方向へ移動することとなり、カバー体８の外れを防止することができるものである。
【００２９】
また、カバー体８の外郭を、掃除機本体１の外郭の一部として構成すれば、カバー体８の外れを部品点数を増やすことなく防止し、かつカバー体８の着脱の使用性を確保しつつ、掃除機本体１の外郭の一部として構成することで、安価な電気掃除機を提供することができるものである。
【産業上の利用可能性】
【００３０】
以上のように本発明に係る電気掃除機は、フィルターを固定するカバー体と一体に構成した爪で着脱する使用性を確保しつつ、カバー体の外れを防止し、安価で使用性が良く品質の向上が行えるもので、電気掃除機に限らず、排出される温風に含まれる塵埃を除去するフィルターと、それを固定する樹脂製のカバー体を備えた各種機器に適用できる。
【符号の説明】
【００３１】
１  電気掃除機
２  電動送風機
３  電動送風機室
３ａ  排気部
６  フィルター
６ａ  フィルター材
６ｂ  枠
７  フィルター室
８  カバー体
９  排気口
１０  爪
１１  引っ掛け部
１２  取り付け面
１３  フィルター押さえ部
１４  切り欠き部
１５  接触面
【図１】
2011083515.tif 000003
【図２】
2011083515.tif 000004
【図３】
2011083515.tif 000005